(57)【要約】【課題】複数のシザースを有し、その内の選択されたシザースが揺動して新たに給糸を開始し、給糸を行っていたシザースが待機姿勢を保つとき新旧の糸同士のトラブルの発生を見ることなく給糸の変更を行うことが出来るようにすると共に、給糸装置の内部のメンテナンスを容易に行うことが出来るようにする。【解決手段】シザース選択手段とシザース揺動手段とよりなるシザース揺動作動系装置と、シザース開閉手段操作手段とシザース開閉手段とよりなるシザース開閉作動系装置とを有する。また、シザース選択手段とシザース開閉手段操作手段とをトップパートに、シザース揺動手段とシザース開閉手段とをボトムパートに設けた。そして、シザース選択手段とシザース開閉手段操作手段とをトップパートに、シザース，シザース揺動手段，シザース開閉手段をボトムパートにそれぞれ設け、トップパート下部にボトムパートを枢着支持している。【選択図】図１
2008095239.tif 000002
【特許請求の範囲】
【請求項１】
シザース選択手段とシザース揺動手段とよりなるシザース揺動作動系装置と、シザース開閉手段操作手段とシザース開閉手段とよりなるシザース開閉作動系装置とを有する編機における給糸装置。
【請求項２】
シザース選択手段とシザース開閉手段操作手段とをトップパートに、シザース揺動手段とシザース開閉手段とをボトムパートに設けたことを特徴とする請求項１記載の編機における給糸装置。
【請求項３】
シザース選択手段とシザース開閉手段操作手段とをトップパートに、シザース，シザース揺動手段，シザース開閉手段をボトムパートにそれぞれ設け、トップパート下部にボトムパートを枢着支持したことを特徴とする編機における給糸装置。
【請求項４】
シザース選択手段とシザース揺動手段との接続は、シザース選択装置のスライドプレートに設けた袋状の凹陥部に、シザース揺動手段のカップリングアームの先端部を挿入することにより行うことを特徴とする請求項３記載の編機における給糸装置。
【発明の詳細な説明】
【技術分野】
【０００１】
本発明は、丸編機における給糸装置に関する。
【背景技術】
【０００２】
丸編機においては一般に、針を支持するシリンダーの外周の複数位置に単位給糸装置を配し、各単位給糸装置ごとに複数のシザースを保持し、適宜編成する編地の柄等に応じて、上記単位給糸装置のシザースを切替えて所定の糸を給糸している。
【０００３】
選択されたシザースは揺動し保持する糸を編成位置に出し、保持を開いて給糸し編成を開始すると共に、編成が終了した糸は、編成位置に出ているシザースを退去させて糸を待機位置に退去させているが、上記の編糸の切替時に新旧糸の開放保持動作がタイミング的に斉一に行われないと、給糸不納糸切れ等のトラブルの原因となってしまう。
【０００４】
また上記の、切替えるべき複数の糸を保持している単位給糸装置は編機シリンダの外周面或いはその上位に接近して設けられており、その内部は、給糸すべき複数の糸それぞれを案内するカム，レバー，プレート等が積層状態にセットされており、かつ、糸を取り扱う関係上極めて塵埃の発生を多く見る処でもあり、その塵埃を除くために、強力なエアを吹き付けるなどの保善作業が行われているが、給糸装置内部を直接に清浄化することは出来なかった（特許文献１参照）。
【特許文献１】特開２００４−１３１９０８号公報
【発明の開示】
【発明が解決しようとする課題】
【０００５】
本発明は上記の点に鑑みて、単位給糸装置が複数のシザースを有し、その内の選択されたシザースが揺動して新たに給糸を開始し、給糸を行っていたシザースが待機姿勢に戻るとき新旧の糸同士のトラブルの発生を見ることなく給糸の変更を行うことが出来るようにすると共に、給糸装置の内部のメンテナンスを容易に行うことが出来るように、給糸装置の内面を開放することを可能としている。
【課題を解決するための手段】
【０００６】
請求項１記載の編機における給糸装置は、シザース選択手段とシザース揺動手段とよりなるシザース揺動作動系装置と、シザース開閉手段操作手段とシザース開閉手段とよりなるシザース開閉作動系装置とを有するものとした。
請求項２記載の編機における給糸装置は、請求項１記載の装置においてシザース選択手段とシザース開閉手段操作手段とをトップパートに、シザース揺動手段とシザース開閉手段とをボトムパートに設けている。
請求項３記載の編機における給糸装置は、シザース選択手段とシザース開閉手段操作手段とをトップパートに、シザース，シザース揺動手段，シザース開閉手段をボトムパートにそれぞれ設け、トップパート下部にボトムパートを枢着支持している。
請求項４記載の編機における給糸装置は、請求項３記載の装置におけるシザース選択手段とシザース揺動手段との接続を、シザース選択装置のスライドプレートに設けた袋状の凹陥部に、シザース揺動手段のカップリングアームの先端部を挿入することにより行っている。
【発明の効果】
【０００７】
本発明は、複数のシザースを有し、その内の選択された１のシザースが揺動し給糸位置において給糸を開放する際のシザースの揺動運動を行うべき駆動系とシザースの揺動運動時に所定のタイミングで行われる糸切断保持の動作を行うべき駆動系との２つの駆動系によりシザースの揺動運動と糸切断保持の動作を行わせるために、糸保持切断と揺動時のタイミングを正確にとることを可能とし、糸切替時の糸条トラブルの発生を防止することを可能としている。
【０００８】
また、本発明給糸装置は、給糸すべき糸を案内するシザースを選択する選択手段をトップパートに設け、シザース，シザース揺動手段，シザース開閉手段をボトムパートに設け、トップパートに対し、ボトムパートを枢着することにより適宜ボトムパート内面を開放することを可能にしたために、給糸装置内部のメンテナンス等を容易に行うことが出来る。
【発明を実施するための最良の形態】
【０００９】
本発明の実施の形態を図面と共に次に説明する。
図１は本発明給糸装置１の側面図、図２は同正面図である。図１に示す給糸装置１は、その１側のトップサイドプレート２ａ及びボトムサイドプレート２ｂを取り外した状態を示している。給糸装置１の下位に示すシリンダ針３は、シリンダ針列の１本を示し、針列は図面紙面と直交する方向に環状に延びている。ダイヤル針は省略している。
【００１０】
本発明給糸装置１は、給糸すべき糸を案内するシザースを選択するシザース選択手段１００を有するトップパート４とボトムパート５とによりなり、ボトムパート５には選択された糸を保持し針３に案内するシザース２００，シザース揺動手段３００，シザース開閉手段操作手段４００，シザース開閉手段５００等と、給糸装置１内部のメンテナンスを容易とするために給糸装置１のボトムパート５を開く開放固定手段６００とを有している。トップパート４は機台前面側に設けられるフロントブラケット６と、それと対をなして設けられるリヤブラケット７の両側にトップサイドプレート２ａを設け、その内部に前記したシザース選択手段１００を配している。ボトムパート５は２枚のボトムサイドプレート２ｂ間を適宜位置に設けたシャフト９，９・・・により所定の間隔を持ち、その間に糸保持案内手段のシザース２００，シザース揺動手段３００，シザース開閉手段５００ボトムパート開放固定手段６００を配している。そして、ボトムパート５はトップパート４のフロントブラケット６にシャフト１０により揺動可能に枢着支持されている。
【００１１】
本発明給糸装置１の図示した例においては、給糸する糸の種類（本数）を６種類（６本）としている。従って、シザース選択手段１００，糸保持案内手段のシザース２００，シザース揺動手段３００等の各手段を構成する単位体は６組ずつ設けられているが、シザース開放手段操作手段４００，シザース開閉手段５００は各単位共通としているので１組とする。そして、給糸装置１はシリンダ針列の上位に環状に複数台設けられている。
【００１２】
トップパート４について説明する。
トップパート４は、フロントブラケット６及びリヤブラケット７とによって丸編機フレーム１１に取り付けられている。トップパート４の上位には、シリンダ針３を支持するシリンダ（図示せず）と同期回転するようにアクチエーター１２が設けられている。
アクチエーター１２は、選択すべき編糸の種類数に応じた数の揺動爪１３を有し、所定の糸に対応する揺動爪１３を揺動させることにより、該爪１３を、アクチエーター１２の下位に設けられアクチエーター１２と共に糸選択手段を構成するセレクター１４のセレクタープレート１４ａのセレクターバット１４ｂに当接し、セレクタープレート１４ａを押し下げるようにしている。
【００１３】
セレクター１４は所定枚数（本実施例では６枚）のセレクタープレート１４ａをセレクターガイド１４ｃにより等間隔に並列し、かつ、上下に摺動自在に支持している。セレクター１４の詳細を説明すると、各セレクタープレート１４ａの上縁にはそれぞれ位置を変えたセレクターバット１４ｂが設けられバット１４ｂのそれぞれが、セレクター１４の上位に設けられたアクチエーター１２の揺動爪１３と対応している。そして、揺動爪１３が揺動した状態のもとで編機の回転により揺動爪１３がセレクターバット１４と当接すると当該セレクター１４は選択されてセレクターガイド１４ｃ内を押し下げられることになる。セレクタープレート１４ａの下縁両端には突部１４ｄが設けられている。
前記突部１４ｄは、フロントブラケット６，リヤブラケット７間を覆っているトップカバー８に設けた、セレクタープレート１４ａの間隔に等しい間隔で明けられたスリット８ａから下方に突出することが出来るよう支持されている。
【００１４】
セレクター１４の下位の、各セレクタープレート１４ａに接する位置に、フィンガープレート１５（図７に詳細図示）がセレクタープレート１４ａと同様にセパレーター５２により等間隔に並列状態にかつそれぞれが個別に独自に摺動出来るように設けられている。フィンガープレート１５は、上部両端に突出させてフィンガープレートバット１５ａ，１５ｂを有し、同フィンガープレートバット１５ａ，１５ｂは前記トップカバー８のスリット８ａからトップカバー８外に突出可能としている。そしてフィンガープレート１５は、上下２段にそれぞれ左右一対ずつ横手方向に延びる長孔１５ｃを穿設し、かつ下縁の一側端縁には案内板状体１５ｄを下方に突出し、他側縁には位置決め用の凹欠部１５ｅ，１５ｆを上下に２個所設けている。フィンガープレート１５は、その側面に密接してスライドプレート５０を設け両者をピン５１で枢着する。スライドプレート５０の一側下端縁に設けた突出部５０ａには、逆Ｕ字形の凹陥部５０ｂを、また、他側下端縁には端縁下部を支点とする爪部材５０ｃを枢着する。前記爪部材５０ｃは前記したフィンガープレート１５の位置決め用凹欠部１５ｅ，又は１５ｆに嵌合しフィンガープレート１５とスライドプレート５０の位置を固定する。爪部材５０ｃとフィンガープレート１５との間にはスプリング５０ｄを掛け渡している。
【００１５】
上記の如く、重ね合わせピン５１で枢着した１組のスライドプレート５０とフィンガープレート１５とを複数組（本実施例では６組）セパレーター５２で区画してプロック状のシザース選択手段１００としているが、シザース選択手段１００はシザース揺動手段３００と次の如く接続される。
【００１６】
シザース選択手段１００において、重なり合うスライドプレート５０とフィンガープレート１５とはスライドプレート５０の突出部５０ａとフィンガープレート１５の案内板状体１５ｄとが接し合うことになり、更に前記の重なりに加え、セパレーター５２がスライドプレート５０に重なることにより、スライドプレート５０は、フィンガープレート１５とセパレーター５２とによって挟まれ、スライドプレート５０の突出部５０ａのＵ字形の凹陥部５０ｂは、その両側を、セパレーター５２とフィンガーフーレート１５の案内板状体１５ｄとで塞がれた袋状を呈することになり、この凹陥部５０ｂに、前述のシザース揺動手段３００のカップリングアーム３４の先端部を挿入することにより、シザース選択手段１００はシザース揺動手段に接続されシザース選択手段１００のスライドプレート５０，フィンガープレート１５の横行動の動きを、シザース揺動手段３００に伝えることが出来る。
【００１７】
前記フィンガープレート１５の下部の長孔１５ｃ内と、スライドプレート５０の長孔５０ｃとのそれぞれにピン１５ｇを通し案内部材としている。
フィンガープレートバット１５ａ，１５ｂがトップカバー８のスリット８ａから突出した際に、フィンガープレートバット１５ａと当接する位置にリセットカム１７を、フィンガープレートバット１５ｂと当接する位置にダウンカム１８をそれぞれアクチエーター１２と同様手段で設けている。
更に、トップパート４には後述するボトムパート５に設けられているシザース開閉手段４００操作用のコントロールレバー２１を作動するソレノイド２２が設けられている。  
【００１８】
ボトムパート５は、それぞれが糸を保持しており、その内の選択されたものが揺動し編成針に編糸を給糸する複数のシザース２００と、前記各シザース２００を個別に揺動する複数のシザース揺動手段３００と、シザース開閉手段操作手段４００と、シザース開閉手段５００と、メンテナンスの為にボトムパート５内部を開いた状態で固定することを可能にしたボトムパート開放固定手段６００とを有している。
【００１９】
シザース２００について説明する。シザース２００は、角柱状の固定刃３５の先端部位に凹陥部を形成し該部を糸道３７とし、固定刃３５の上面には糸押えプレート３８と該プレート３８を固定刃３５に押し当てる板ばね３９を、固定刃３５の下面には可動刃３６をそれぞれ重ね、前記可動刃３６，糸押えフーレート３８，板ばね３９は一体的に固定刃３５に対して摺動出来るように支持されている。可動刃３６は刃先４０と反対の頭部両側に小腕４１を突出して側面視Ｔ字状となし、小腕４１の端部には上向きの凹部４１ａと下向きの凹部４１ｂとをそれぞれ形成している。
シザース２００が待機位置にあるときは、固定刃３５に対し可動刃３６及び糸押えプレート３８は進出し、糸端を切断すると共に糸端を固定刃３５頭部と糸押えプレート３８とによりニップし保持している。
シザース２００は後述するシザース揺動手段３００のシザースプレート３２に支持されている。
【００２０】
シザース揺動手段３００にき説明する。ボトムパート５のサイドプレート２ａ，２ａ間に亘って設けた軸３１に、シザース揺動手段３００として複数（本実施例では６枚）のシザースプレート３２がスプリング３３により図１において反時計針方向に旋回するよう付勢されて揺動自在に支持される。シザースプレート３２の下方に延びる第１のアーム３２ａにシザース２００が設けられている。シザースプレート３２の上方に延びる第２のアーム３２ｂには軸３４ａで揺動自在に支持されたカップリングアーム３４を枢着している。カップリングアーム３４の先端部分は円板状をなしており、トップパート４のシザース選択手段１００のスライドプレート５０に形成された袋状の凹陥部５０ｂに挿入嵌合されている。そのためスライドプレート５０の左右動に従ってカップリングアーム３４が揺動し、それと連結されているシザースプレート３２も往復揺動をすることになり、シザースプレート３２の第１のアーム３２ａに支持されたシザース２００も待機位置と給糸位置との間を揺動する。
【００２１】
尚、上記カップリングアーム３４の先端部の、スライドプレート５０の凹陥部５０ｄへの挿入は、トップパート４とボトムパート５との間を開放する際に、トップパート４のシザース選択手段１００とボトムパート５のシザース揺動手段３００との連係を解くのに容易に行えるようにしたために、両者を接続するときは凹陥部５０ｄにカップリングアーム３４の先端を挿入するだけで良く、両者の接続を解くときは単にカップリングアームを引き抜くだけで良い。
【００２２】
シザース２００の可動刃３６の操作を行うシザース開閉手段５００は次の如く構成されている。
シザースプレート３２の上位に断面倒コ字形のコントロールブロック５５を軸５６で揺動自在に支持し、コントロールブロック５５の４隅から４本のコントロールアーム５５ａ，５５ａ，５５ｂ，５５ｂを垂下する。コントロールアーム５５ａ，５５ａの間隔、同５５ｂ，５５ｂ，の間隔は複数枚並設したシザースプレート３２の間隔より大で、並設したシザースプレート３２の外側に垂下するようにしている。コントロールアーム５５ａ，５５ａの下端間にはバー５５ｃを、コントロールアーム５５ｂ，５５ｂの下端間にはバー５５ｄをそれぞれ設ける。コントロールプロック５５にはスプリング５７を設け図１において反時計針方向に旋回するよう付勢している。前記コントロールプロック５５の揺動時にコントロールブロックの上下する動きに従って上下動するバー５５ｃ，５５ｄの動きを規制するための長孔５５ｅ，５５ｆを両サイドプレート２ａに設け、長孔５５ｅ，５５ｆとバー５５ｃ，５５ｄの端部が係合し、長孔５５ｅ内を下降するバー５５ｃがシザース２００の可動刃３６の小腕４１の上向きに開かれた凹部４１ａに嵌合し可動刃３６を押し下げ、長孔５５ｆの内を上昇するバー５５ｄがシザース２００の可動刃３６の小腕４１の下向きに開かれた凹部４１ｂに嵌合し、可動刃３６を引き上げる。
【００２３】
前記コントロールブロック５５には、垂直上向にコントロールプレート５８が枢支されている。コントロールプレート５８の頂部５８ａは、トップパート４内に設けられソレノイド２２と共にシザース開閉手段操作手段４００を構成するコントロールレバー２１と接している。コントロールレバー２１は垂直方向に上下動可能に支持され、コントロールレバー２１の上位にはソレノイド２２がアクチエーター１２，リセットカム１７，ダウンカム１８と同様に支持されて位置しておりソレノイド２２の作動時はコントロールレバー２１は押し下げられるので、その動きはコントロールプレート５８に伝えられコントロールブロック５５が図１において時計針方向に旋回動することになる。
【００２４】
ボトムパート旋回固定手段６００について説明する。ボトムパート旋回固定手段６００は、ボトムパートのメンテナンス時などにボトムパート５を開いた状態に位置を固定するための手段であって、ボトムパート５を通常使用状態にロックするロック部材６１と、開放状態を固定するための開放位置固定部材６２とよりなる。
ロック部材６１はボトムパート５の上位にその幅方向に摺動可能に設けられた一対の平行したラッチレバー６３よりなり、該レバー６３は両端部においてピン６４，６５で互いに連結され４角の枠組を構成している。そして、ピン６４，６５はボトムパート５のボトムサイドプレート２ｂに設けた横長孔６６，６７に摺動自在に嵌合している。そしてピン６５にはスプリング６８を設けることによりラッチレバー６３が図１において常に左行するように付勢されている。そしてラッチレバー６３の左端部（図１において）のピン６４は常態にあってはトップパート４のリヤブラケット７から下方に延びている鉤部６９と係合している。そして、上記鉤部６９とピン６４とが外れると、ボトムパート５は、ボトムパート５とトップパート４とを枢支しているシャフト１０を中心に図１において反時計針方向に旋回することになる。
【００２５】
上記旋回時に旋回位置を２個所に固定できる例を図１，図５に図示している。トップサイドプレート２ａがボトムサイドプレート２ｂ側に突出した部分に設けた軸７１によって停止位置固定部材６２のステー７２を垂下する。ステー７２は中央部に延びるガイド溝７３を有し、ガイド溝７３にボトムパート５のサイドプレート２ｂに設けたピン７４を摺動自在に嵌合している。前記ガイド溝７３は中央部と端部とに凹部７５，７６を設けてあり、前記ピン７４が端部の凹部７６に嵌合した場合ボトムパート５は９０°開いて固定され中央の凹部７５に嵌合した場合はボトムパート５は４５°開いて固定される。
【００２６】
次に本発明装置の作用につき説明する。
給糸装置１のシザース２００が待機位置にある場合は図１に示す如くすべてのシザース２００は糸道３７刃先４０部分を上挙している。その内の１つを選択し、給糸位置に揺動しようとする場合、当該シザース２００に対応するアクチエーター１２の揺動爪１３を作動させる。図３に例を示すと、最左端のアクチエーターの揺動爪１３を揺動して編機の回転によりセレクターバット１４ｂと接触させセレクターバット１４ｂをを押し込み、セレクター１４の下端縁の突部１４ｄをフィンガープレート１５に押し当て、フィンガープレート１５をピン５１を中心に反時計針方向に揺動し、フィンガープレートバット１５ｂを突出させる。この動きによりフィンガープレートバット１５ｂは、回転するダウンカム１８と当接し同カムにより図３左方向に移動させられ図４に示す位置をとる。
【００２７】
上記フィンガープレート１５の左行により、フィンガープレート１５と一体のスライドプレート５０も左行するから、スライドプレート５０の下縁端部に設けられた袋状の凹陥部５０ｂに先端頭部が嵌合しているカップリングアーム３４が軸３４ａを中心に反時計針方向に旋回し、カップリングアーム３４と連結しているシザースプレート３２も、軸３１を中心として時計針方向に旋回する。この動きによって、シザースプレート３２の第１のアーム３２ａに支持されているシザース２００は図４に示す如く垂直方向に向いた給糸位置となる。上記動作がシザース選択手段１００とシザース揺動手段３００とよりなるシザース揺動作動系装置の動きである。
【００２８】
次にシザース開閉手段５００とシザース開閉手段操作手段４００とよりなるシザース開閉作動系装置の動きを説明する。前記シザース２００の給糸位置への揺動と同期してソレノイド２２を作動させ、コントロールレバー２１を介してコントロールプレート５８を押し下げ、コントロールブロック５５を軸５６を中心に時計針方向に旋回する。このときシザース２００は図４に示す如く給糸位置をとっているが、シザース２００の可動刃３６の腕４１の凹部４１ｂとコントロールブロック５５から垂下しているコトロールアーム５５ｂ先端のバー５５ｄとが係合し、コントロールブロック５５の時計針方向への動きにつれて可動刃３６を引き上げる。可動刃３６の上昇動と糸押えプレート３８，糸ばね３９の上昇とは一体的に行われ固定刃３６の糸道３７にニップされていた糸は開放されニードル３に給糸される。
【００２９】
給糸状態にあるシザース２００において給糸を停止する場合について次に説明する。
図４に示す給糸状態において、給糸を停止するシザース２００に対応するアクチエーター１２を作動し、セレクター１４を押し下げる。この際に給糸位置にあったセレクター１４に対応するフィンガープレート１５はバット１５ｂを突出させておりフィンガープレート１５の上縁はバット１５ｂ側が高い位置にあるため、前記したセレクター１４の押し下げ時、セレクターの突部１４ｄはフィンガープレート１５のバット１５ｂ側と当たり、フィンガープレート１５をピン５１を中心に時計針方向に旋回しフィンガープレートバット１５ａをトップカバー８のスリット８ａより突出させると共にフィンガープレートバット１５ｂをスリット８ａから退没させる。そして編機回転と同期して回転してまたリターンカム１７がフィンガープレートバット１５ａと当接しフィンガープレート１５を図４で右方に移動し元の待機位置（図１に図示）に戻す。上記のフィンガープレート１５の右行によりフィンガープレート１５と一体に給糸されているスライドプレート５０の凹陥部５０ｂに係止しているカップリングアーム３４は軸３４ａを中心に図４において時計針方向に旋回し、連結しているシザースプレート３２を軸３１を中心に反時計針方向に旋回し、シザースプレート３２の第１のアーム３２ａに支持されているシザース２００を待機位置に上挙する。この際ソレノイド２２のスイッチが入りコントロールレバー２１が押し下げられコントロールプレート５８を介してコントロールブロック５５が軸５６を中心に時計針方向に旋回することでコントロールブロック５５に垂下しているコントロールアーム５５ａのバー５６ａが、シザース２００の可動刃３６の小腕４１の凹部４１ａを押し下げることで可動刃３６，糸押えプレート３８，板ばね３９を押し下げ糸道３７を閉じ、糸をカットし保持する。
【００３０】
次にメンテナンス等のためにボトムパート５を開く場合の操作について説明する。
図１に示す如く、ボトムパート５はトップパート４にシャフト１０によりヒンジ付けされている。そしてトップパート５のリヤブラケット７に設けた鉤部６９と、ロック部材６１のラッチレバー６３に設けられているピン６４が固定状態では係合しているのでそれを解くために、ラッチレバー６３を給糸装置１の正面側（図１において右側）からラッチレバー６３に設けられているピン６５を引くことでロックが解放される。
【００３１】
ピン６４が鉤部６９と外れればボトムパートは自重でシャフト１０を中心に図１，図５において反時計針方向に旋回するのでトップパート４から垂下しているステー７２のガイド溝７３内の凹陥部７５，７６とボトムパート５のサイドプレート２ｂに設けたピン７４とを係合させボトムパートに適宜角度をもたせて開けば良い。
【図面の簡単な説明】
【００３２】
【図１】本発明装置の要部を示す側面図。
【図２】本発明装置の正面図。
【図３】本発明装置のセレクタープレート作動時の側面図。
【図４】本発明装置のフィンガープレート移行時の側面図。
【図５】本発明装置のボトムパート開放固定手段の動作説明図。
【図６】セレクターのスライドプレートの側面図。
【図７】セレクターのフィンガープレートの側面図。
【図８】セレクターのセパレーターの側面図。
【符号の説明】
【００３３】
１  給糸装置
４  トップパート
５  ボトムパート
１０  シャフト
１００  シザース選択手段
２００  シザース
３００  シザース揺動手段
４００  シザース開閉手段操作手段
５００  シザース開閉手段
６００  ボトムパート開放固定手段
【図１】
2008095239.tif 000003
【図２】
2008095239.tif 000004
【図３】
2008095239.tif 000005
【図４】
2008095239.tif 000006
【図５】
2008095239.tif 000007
【図６】
2008095239.tif 000008
【図７】
2008095239.tif 000009
【図８】
2008095239.tif 000010